(57)【要約】      （修正有）【課題】プリペイド媒体の返却を忘れたまま席を離れることを防止することができるパチンコ機を提供する。【解決手段】払出制御装置２８に搭載されている払出ＣＰＵ６７が、満タン検知スイッチ６８によって貯留皿が満タンである旨を検知すると、満タン検知信号をメインＣＰＵ３２へ送信する。一方、メインＣＰＵ３２は、満タン検知信号を受信すると、その旨を含んだ注意喚起信号をサブ統合ＣＰＵ４２へ送信する。そして、サブ統合ＣＰＵ４２では、注意喚起信号を受信すると、貯留皿が満タンであるため球抜きレバーを操作するよう遊技者に促す球抜き要求メッセージ表示と、遊技者にプリペイド媒体の返却忘れについて注意喚起する注意喚起メッセージ表示とを図柄表示部に表示するようにした。【選択図】図５
2014061080.tif 000002
【特許請求の範囲】
【請求項１】
残額を記憶したプリペイド媒体を挿入／排出可能で、遊技者により挿入された前記プリペイド媒体の残額にもとづき貸し球の払い出しに係る制御を実行する一方、所定の操作に応じて前記プリペイド媒体を排出して遊技者に返却する球貸機と電気的に接続されているとともに、
遊技球が入賞可能な入賞部材と、遊技に係る動作を制御する制御装置と、遊技球を貯留可能な貯留部材とを備えており、前記入賞部材へ遊技球が入賞すると、所定個数の遊技球を賞球として前記貯留部材へ払い出すパチンコ機であって、
遊技者に前記プリペイド媒体の返却忘れについて注意喚起する注意喚起手段と、前記貯留部材が満タンであるか否かを検知する検知手段とを備えており、
前記制御装置は、前記貯留部材が満タンであることを検知すると、所定のタイミングで前記注意喚起手段を作動させることを特徴とするパチンコ機。
【請求項２】
所定の図柄を変動／確定表示する図柄表示部を備えており、所定の条件が成立すると、前記制御装置による制御のもと、前記図柄表示部において前記図柄の変動を開始させ、所定の変動時間の経過に伴い前記図柄を所定の確定表示態様で確定表示させるパチンコ機であって、
前記注意喚起手段が前記図柄表示部であり、
前記制御装置は、前記貯留部材が満タンであることを検知すると、前記図柄表示部に所定の注意喚起メッセージ表示を表示することを特徴とする請求項１に記載のパチンコ機。
【請求項３】
前記貯留部材から遊技球を抜くための球抜き手段を備えており、
前記制御装置は、前記貯留部材が満タンであることに起因して前記注意喚起手段を作動させた際、前記注意喚起手段によって、遊技者に前記球抜き手段の操作をも促すことを特徴とする請求項１又は２に記載のパチンコ機。
【発明の詳細な説明】
【技術分野】
【０００１】
本発明は、プリペイド媒体対応の球貸機と電気的に接続されるパチンコ機に関するものである。
【背景技術】
【０００２】
従来、残額を記憶したプリペイドカードやプリペイドコイン等といったプリペイド媒体を挿入／排出する出入口を備えた球貸機に隣設され、球貸機へと挿入されたプリペイド媒体の残額を使用して遊技を行うようなパチンコ機（たとえば特許文献１）が多数考案されている。そして、そのようなパチンコ機では、残額がある状況においてたとえばパチンコ機に備えられている返却ボタンを操作等すると、現在の残額を記憶したプリペイド媒体が出入口から排出され、プリペイド媒体を遊技者に返却するようになっている。
【先行技術文献】
【特許文献】
【０００３】
【特許文献１】特開２０１０−１２１２８号公報
【発明の概要】
【発明が解決しようとする課題】
【０００４】
しかしながら、遊技者が遊技を終了したり中断したりする際、依然として残額がある状況であるにも拘わらず、プリペイド媒体の返却を忘れたまま席を離れてしまうことがあり、問題となっていた。
【０００５】
そこで、本発明は、上記問題に鑑みなされたものであって、プリペイド媒体の返却を忘れたまま席を離れることを防止することができるパチンコ機を提供しようとするものである。
【課題を解決するための手段】
【０００６】
上記目的を達成するために、本発明のうち請求項１に記載の発明は、残額を記憶したプリペイド媒体を挿入／排出可能で、遊技者により挿入された前記プリペイド媒体の残額にもとづき貸し球の払い出しに係る制御を実行する一方、所定の操作に応じて前記プリペイド媒体を排出して遊技者に返却する球貸機と電気的に接続されているとともに、遊技球が入賞可能な入賞部材と、遊技に係る動作を制御する制御装置と、遊技球を貯留可能な貯留部材とを備えており、前記入賞部材へ遊技球が入賞すると、所定個数の遊技球を賞球として前記貯留部材へ払い出すパチンコ機であって、遊技者に前記プリペイド媒体の返却忘れについて注意喚起する注意喚起手段と、前記貯留部材が満タンであるか否かを検知する検知手段とを備えており、前記制御装置は、前記貯留部材が満タンであることを検知すると、所定のタイミングで前記注意喚起手段を作動させることを特徴とする。
請求項２に記載の発明は、請求項１に記載の発明において、所定の図柄を変動／確定表示する図柄表示部を備えており、所定の条件が成立すると、前記制御装置による制御のもと、前記図柄表示部において前記図柄の変動を開始させ、所定の変動時間の経過に伴い前記図柄を所定の確定表示態様で確定表示させるパチンコ機であって、前記注意喚起手段が前記図柄表示部であり、前記制御装置は、前記貯留部材が満タンであることを検知すると、前記図柄表示部に所定の注意喚起メッセージ表示を表示することを特徴とする。
請求項３に記載の発明は、請求項１又は２に記載の発明において、前記貯留部材から遊技球を抜くための球抜き手段を備えており、前記制御装置は、前記貯留部材が満タンであることに起因して前記注意喚起手段を作動させた際、前記注意喚起手段によって、遊技者に前記球抜き手段の操作をも促すことを特徴とする。
【発明の効果】
【０００７】
本発明のうち請求項１に記載の発明によれば、制御装置が、貯留部材が満タンであることを検知すると、所定のタイミングで注意喚起手段を作動させるることによって、遊技者にプリペイド媒体の返却忘れについて注意喚起するため、遊技者がプリペイド媒体の返却を忘れたまま席を離れてしまうといった事態を効果的に防止することができる。
また、請求項２に記載の発明によれば、図柄表示部を注意喚起手段としているし、請求項３に記載の発明によれば、注意喚起手段によって遊技者に球抜き手段の操作を促すように構成している。したがって、注意喚起手段として別途専用の部材を設けたり、新たな信号ラインを設けたりする必要がなく、部材の増加に伴う遊技として使用可能なスペースの低減、制御の複雑化に伴う制御装置の負荷増大等といった事態も生じない。
【図面の簡単な説明】
【０００８】
【図１】パチンコ機及び球貸機を前面側から模式的に示した説明図である。
【図２】パチンコ機を前面側から示した説明図である。
【図３】遊技盤を前面側から示した説明図である。
【図４】パチンコ機を後面側から示した説明図である。
【図５】パチンコ機の制御機構を示したブロック図である。
【図６】ｄカウンタの数値と「基本変動パターン」との対応を示した説明図である。
【図７】「基本変動パターン」と「詳細変動パターン」との対応を示した説明図である。
【図８】供給皿を上側から示した説明図である。
【図９】図柄表示部に注意喚起メッセージ表示を表示した状態を示した説明図である。
【発明を実施するための形態】
【０００９】
以下、本発明の一実施形態となるパチンコ機について、図面にもとづき詳細に説明する。
【００１０】
（パチンコ機及び球貸機の全体的な説明）
図１は、パチンコ機１及び球貸機７１を前面側から模式的に示した説明図である。また、図２は、パチンコ機１を前面側から示した説明図である。さらに、図３は、遊技盤２を前面側から示した説明図である。加えて、図４は、パチンコ機１を後面側から示した説明図である。
球貸機７１は、パチンコ機１（特に後述する払出制御装置２８）と電気的に接続され、パチンコ機１における貸球の払い出しの可否を制御するものであって、パチンコ機１毎に隣設されている。そして、球貸機７１の前面には、紙幣や硬貨を投入するための投入口７２、残額を記憶したプリペイド媒体を挿入／排出するための出入口７３、残額等を表示する球貸機表示部７４、各種操作を行う操作部７５等が設けられている。
【００１１】
一方、パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１２】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄を表示するための図柄表示部６が設けられている。さらに、図柄表示部６を囲むようにＬＥＤを内蔵した種々の発光部材６２、６２・・を備えたセンター部材２６が遊技盤２に設置されており、該センター部材２６の左方には、遊技球が通過可能なゲート部材６０が設けられている。加えて、遊技領域１６におけるセンター部材２６の下方には、遊技球が入賞可能な始動入賞口１９と、一対の翼片を開閉動作可能に備えたチューリップ式電動役物１７と、開閉可能な扉部材を有する大入賞装置１８とが設置されている。なお、発光部材６２、６２・・の内の一部は、電動役物として構成されている。
【００１３】
さらに、遊技領域１６外となる遊技盤２の右下部には、保留情報の数を表示する４つのＬＥＤからなる保留表示部２０と、特別図柄を表示するための７セグメント表示器からなる特別図柄表示部６１とが設けられている。なお、保留表示部２０や特別図柄表示部６１は、前扉４を閉塞したとしても、前扉４の前方にいる遊技者から視認可能な位置に設けられている。
【００１４】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１５】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂「大当たり抽選」等）を実行するためのメイン制御装置３０（図５に示す）、図柄表示部６における表示動作等を制御する表示制御装置５０（図５に示す）、ランプ部材１５の点灯／点滅動作等を制御する発光制御装置５１（図５に示す）、スピーカ１４からの報音動作を制御する音制御装置５２（図５に示す）、及び表示制御装置５０や音制御装置５２等の動作を統合的に制御するサブ制御装置４０（図５に示す）等が設置されている。尚、２２は、パチンコ機１をトランスに接続するためのプラグであり、２７は、アースである。
【００１６】
次に、パチンコ機１の制御機構について、図５をもとに説明する。図５は、パチンコ機１の制御機構を示したブロック図である。
メイン制御装置３０には、「大当たり抽選」の実行とともに下記部材の動作を制御するメインＣＰＵ３２、ＲＯＭやＲＡＭ等といった記憶手段３３、タイマ３４、及びインターフェイス３５等が搭載されたメイン制御基板３１が内蔵されている。そして、該メイン制御基板３１は、インターフェイス３５を介して、始動入賞口１９やチューリップ式電動役物１７、大入賞装置１８、払出制御装置２８、電源装置２９、及び特別図柄表示部６１等と接続されている。また、メイン制御基板３１は、サブ制御装置４０内に内蔵されたサブ統合基板４１とも電気的に接続されている。
【００１７】
記憶手段３３には、「大当たり抽選」に使用するｃカウンタ（大当たり判定用乱数）、及び主に特別図柄や装飾図柄の変動時間である基本変動パターン（図柄変動パターン）を決定するｄカウンタ（変動時間決定用乱数）等の複数のカウンタが内蔵されている。各カウンタは、電源投入時から所定の規則に従って所定の数値の間をごく短時間（たとえば１割込２．０００ｍｓ）のうちに１ずつ加算しながらループカウントするループカウンタであって、当該カウンタを用いた数値の取得は、乱数からの数値の取得とみなすことができる。また、ｃカウンタは０〜７００（７０１通り）の間を、ｄカウンタは０〜３０（３１通り）の間を夫々ループカウントするようになっている。そして、メインＣＰＵ３２は、遊技球の始動入賞口１９又はチューリップ式電動役物１７への入賞検出を契機として、ｃカウンタ及びｄカウンタから夫々１つの数値を取得する（所謂「大当たり抽選」を実行する）。
【００１８】
また、記憶手段３３には、特別図柄表示部６１に表示する特別図柄と、図６に示す如くｄカウンタの数値と基本変動パターンとを対応づけた基本変動パターン決定テーブルとが記憶されている。この基本変動パターンとは、主に特別図柄及び装飾図柄の変動時間（変動開始から確定表示までの時間）を規定するものである。さらに、記憶手段３３には、たとえば特別図柄表示部６１において特別図柄が変動表示中に始動入賞口１９へ遊技球が入賞したような場合に、当該入賞に伴うｃカウンタ及びｄカウンタからの取得数値を保留情報として最大４つまで記憶する保留情報記憶領域が設けられている。尚、保留情報記憶領域に記憶されている保留情報の数は、後述するようにサブ統合基板４１による制御のもと、保留表示部２０で点灯表示されて遊技者に報知される。また、保留情報は、特別図柄及び装飾図柄が確定表示される度に記憶した順番で順次消化され、該消化に伴って新たな保留情報が記憶可能となる。
【００１９】
一方、サブ制御装置４０には、サブ統合ＣＰＵ４２、記憶手段４３、タイマ４４、及びインターフェイス４５等が搭載されたサブ統合基板４１が内蔵されている。該サブ統合基板４１は、インターフェイス４５を介してメイン制御基板３１と電気的に接続されているとともに、表示制御装置５０、発光制御装置５１、及び音制御装置５２と電気的に接続されており、サブ統合ＣＰＵ４２は、後述するようにメイン制御基板３１から大当たり抽選に係る信号を受信すると、その信号の内容に応じて各制御装置を制御し、スピーカ１４やランプ部材１５の動作や、図柄表示部６における装飾図柄の表示動作を制御するようになっている。さらに、サブ統合基板４１には、インターフェイス４５を介して、押しボタン２５、及び保留表示部２０等も接続されている。
【００２０】
また、記憶手段４３には、図柄表示部６に表示する装飾図柄を記憶する図柄記憶領域（図示せず）と、該装飾図柄の詳細な変動表示態様やキャラクターの動画を用いたキャラクター演出等からなる複数の詳細変動パターンを記憶した図柄変動パターン記憶領域（図示せず）とが設けられており、種々の詳細変動パターンが図７に示す如くメイン制御基板３１で決定される基本変動パターンと対応づけて記憶されている。
【００２１】
そして、上記パチンコ機１における基本的な遊技動作について、以下簡略に説明する。
遊技者によってハンドル９が回動操作されると、発射装置１０が作動し、発射通路１３を介して遊技球が遊技領域１６内へ打ち込まれる。そして、遊技領域１６内を流下する遊技球が始動入賞口１９又はチューリップ式電動役物１７へ入賞すると、当該入賞がメインＣＰＵ３２により検出される。すると、メインＣＰＵ３２は、所定個数（たとえば４個）の遊技球を賞球として供給皿７へ払い出す一方、入賞検出のタイミングでｃカウンタ及びｄカウンタから夫々１つの数値を取得するとともに、特別図柄表示部６１において特別図柄を変動表示中であるか否か、及び保留情報の有無を確認する。そして、特別図柄表示部６１において特別図柄が変動中でなく、且つ、保留情報が１つも存在しない場合、予め記憶手段３３に設定されている大当たり判定用テーブルを参照し、今回ｃカウンタから取得した数値が所定の「大当たり数値（たとえば“０”又は“３００”）」であるか否か、すなわち今回の「大当たり抽選」の結果が「大当たり」であるか否かを判定する。そして、「大当たり抽選」の結果、「大当たり」である（すなわち、大当たり判定用乱数から取得した数値が「大当たり数値」である）と、図６（ｂ）に示す基本変動パターン決定テーブルを用い、ｄカウンタからの取得数値に対応する基本変動パターンを読み出す（変動時間決定用乱数から取得した数値をもとに図柄変動時間を決定する）。一方、「大当たり抽選」の結果、「外れ」である（すなわち、大当たり判定用乱数から取得した数値が「大当たり数値」以外の数値である）と、図６（ａ）に示す基本変動パターン決定テーブルを用い、ｄカウンタからの取得数値に対応する基本変動パターンを読み出す。その後、メインＣＰＵ３２は、「大当たり抽選」の結果（「大当たり」であるか「外れ」であるか）、及び読み出した基本変動パターン（特に変動時間）の種類を示す情報を含んだ開始コマンドを作成するとともに、当該開始コマンドをサブ統合ＣＰＵ４２へと送信する。また、特別図柄表示部６１において特別図柄を所定の態様で変動させるとともに、タイマ３４による計時を開始する。そして、読み出した基本変動パターンの変動時間が経過すると、「大当たり抽選」の結果に対応する特別図柄を確定表示させる（「大当たり」の場合には大当たり特別図柄表示態様である“３”又は“７”で、「外れ」の場合には“−”で夫々確定表示させる）とともに、停止信号を含んだ停止コマンドをサブ統合ＣＰＵ４２へと送信する。
【００２２】
一方、特別図柄表示部６１において特別図柄を変動表示中であったり、保留情報の有無を確認した際に保留情報が存在した場合には、当該入賞に伴うｃカウンタ及びｄカウンタからの取得数値を保留情報として保留情報記憶領域に記憶する。このとき、メインＣＰＵ３２は、当該保留情報に係るｃカウンタからの取得数値が「大当たり数値」であるか否かといった結果や、ｄカウンタからの取得数値に対応する基本変動パターンはどれであるかといったことまでもを記憶することはなく、ただ取得数値のみを記憶する。また、保留情報記憶領域に記憶されている保留情報の数が既に最大値に達していると、ｃカウンタ及びｄカウンタからの取得数値を保留情報として記憶せずに削除する。
なお、チューリップ式電動役物１７の開閉動作に関しては、ゲート部材６０への遊技球の通過をもって、「大当たり抽選」同様の乱数からの数値の取得による「抽選」を実行し、当選した場合にのみチューリップ式電動役物１７の翼片を所定の設定時間だけ開動作させるようになっている。
【００２３】
一方、サブ統合ＣＰＵ４２では、開始コマンドを受信すると、該開始コマンドに含まれている「大当たり抽選」の結果に応じて最終的に確定表示する装飾図柄を決定するとともに、図柄変動パターン記憶領域から基本変動パターンに対応する詳細変動パターンを読み出し、タイマ４４により計時しながら、読み出した詳細変動パターンにしたがって図柄表示部６における装飾図柄を変動表示させる。そして、停止コマンドの受信に伴い、上記決定した装飾図柄を図柄表示部６に確定表示する。つまり、「大当たり抽選」の結果が「大当たり」であると、同一の装飾図柄を３つ並べる大当たり装飾図柄表示態様（たとえば“２・２・２”や“７・７・７”）で確定表示させる。また、「大当たり抽選」の結果が「外れ」であると、３つのうち少なくとも１つの装飾図柄が異なる外れ装飾図柄表示態様（たとえば“１・２・３”）で確定表示させる。
【００２４】
そして、「大当たり抽選」の結果が「大当たり」であると、装飾図柄及び特別図柄の確定表示後、メインＣＰＵ３２は、「大当たり状態」の開始を報知する開始デモ、大入賞装置１８の扉部材の所定回数にわたる断続的な開成、及び「大当たり状態」の終了を報知する終了デモからなる「大当たり状態」を生起させる。このとき、メインＣＰＵ３２は、大当たり状態において開成中の大入賞装置１８への遊技球の入賞を検知すると、払出制御装置２８を介して所定個数（たとえば１５個）の遊技球を賞球として供給皿７へ払い出す。
一方、「大当たり抽選」の結果が「外れ」であると、装飾図柄及び特別図柄の確定表示後、保留情報が存在する場合には、メインＣＰＵ３２が、記憶している保留情報のうち最も古い保留情報について、特別図柄の変動を開始する直前に「大当たり抽選」の結果が「大当たり」であるか否かを判定するとともに図柄変動時間を決定し、開始コマンドを送信する等の上記同様の制御を実行するとともに、当該最も古い保留情報を保留情報記憶領域から削除する。また、保留情報が存在しない場合には、次の始動入賞口１９又はチューリップ式電動役物１７への遊技球の入賞をもって「大当たり抽選」及びその結果の判定等を実行する。
【００２５】
（パチンコ機と球貸機との間での球貸しに係る制御の説明）
次に、パチンコ機１と球貸機７１との間での球貸しに係る制御について、図５及び図８をもとに説明する。図８は、供給皿７を上側から示した説明図である。
パチンコ機１の供給皿７の上面右側には、プリペイド媒体の残額を所定の態様で表示するための残度表示部５５が設けられているとともに、該残度表示部５５を挟んで貸し球の払い出しを要求するための球貸しボタン５６、及びプリペイド媒体の返却を要求するための返却ボタン５７が設けられている。そして、残度表示部５５、球貸しボタン５６、及び返却ボタン５７は、パチンコ機１に内蔵された操作基板５３に接続されており、両ボタン５６、５７の操作は、操作基板５３により検出される。また、操作基板５３は、中継基板５４を介して払出制御装置２８及び球貸機７１と電気的に接続されている。なお、５８は、供給皿７に溜まっている遊技球を貯留皿８へと排出するための球抜きレバーである。
【００２６】
そして、球貸機７１に紙幣や硬貨を投入、若しくは、残額が記憶されているプリペイド媒体を挿入すると、球貸機７１は、投入された金額（投入された時点で残額となる）、若しくは、プリペイド媒体の残額を検出し、当該残額に係る情報を含んだ残額信号を操作基板５３へ送信する。一方、操作基板５３は、残額信号を受信すると、残額信号に含まれた残額に係る情報を参照し、残額に応じた残度を残度表示部５５に表示する。
【００２７】
ここで、遊技者により球貸しボタン５６が操作されると、操作基板５３は当該操作を検出し、球貸し要求信号を球貸機７１へ送信する。球貸機７１は、球貸し要求信号を受信すると、残額を確認するとともに、所定個数の遊技球を貸し球として払い出すことを指令する払出指令信号を払出制御装置２８へ送信する。該払出指令信号の受信に伴い、払出制御装置２８に搭載された払出ＣＰＵ６７は、払出装置１２の動作を制御して所定個数の払い出しを実行するとともに、貸し球の払い出しが完了すると、払出完了信号を球貸機７１へ送信する。球貸機７１は、該払出完了信号を受信すると、貸し球の払い出しに伴う残額の再演算（残額の減算）を行い、演算後の残額にかかる情報を含んだ新たな残額信号を操作基板５３へ送信し、操作基板５３は、新たな残額に応じた残度を残度表示部５５に表示する。なお、貸し球の払い出しに伴い残額が「０」になると、残額が「０」であることを含んだ残額信号を操作基板５３へ送信し、操作基板５３は、残額が「０」であることを示す残度を残度表示部５５に表示したり、残度表示部５５に何も表示させないといった制御を行う。
【００２８】
一方、残額がある（残額が「０」でない）状況において遊技者により返却ボタン５７が操作されると、操作基板５３は当該操作を検出し、返却信号を球貸機７１へ送信する。球貸機７１は、返却信号を受信すると、返却ボタン５７の操作時の残額を記憶したプリペイド媒体を排出して遊技者へ返却するとともに、残額が「０」であることを含む残額信号を操作基板５３へ送信する。そして、操作基板５３は、上記残額が「０」になった場合と同じく、残額が「０」であることを示す残度を残度表示部５５に表示したり、残度表示部５５に何も表示させないといった制御を行う。
【００２９】
（プリペイド媒体の返却忘れの防止に係る制御の説明）
ここで、本発明の要部となるプリペイド媒体の返却忘れの防止に係る制御について、詳細に説明する。
遊技者によるプリペイド媒体の返却忘れがどのような状況で起こりやすいかを考えると、まず大当たり状態が生起したことにより、貸し球を使わずとも賞球のみによって遊技を継続することが可能になったという状況が考えられる。そこで、パチンコ機１では、サブ統合ＣＰＵ４２による制御のもと、大当たり状態の終了時（すなわち終了デモ中）に、タイマ４４によって計時しながら所定の表示時間（たとえば２秒間）にわたり図柄表示部６に注意喚起メッセージ表示領域６ａを設けるとともに、図９（ａ）に示す如く注意喚起メッセージ表示領域６ａに所定の注意喚起メッセージ表示（たとえば「カードの取り忘れにご注意下さい」等）６５を表示する。すなわち、図柄表示部６を注意喚起手段として作動させ、遊技者に対してプリペイド媒体の返却忘れについて注意喚起する。なお、注意喚起メッセージ表示６５は、記憶手段４３に記憶されている。
【００３０】
また、賞球の払い出し状況に応じて、注意喚起を行うことも効果的であると考えられる。すなわち、たとえば貯留皿８が満タンになるという状況は、大当たり状態が生起した場合や、大当たり状態の終了後に所謂確変状態や時短状態が生起している場合に起こりやすいため、上記同様に貸し球を使わずとも賞球のみによって遊技を継続することが可能になっていると考えられる。そこで、パチンコ機１では、払出制御装置２８に搭載されている払出ＣＰＵ６７が、満タン検知スイッチ６８によって貯留皿８が満タンである旨を検知すると、満タン検知信号をメインＣＰＵ３２へ送信する。一方、メインＣＰＵ３２は、満タン検知信号を受信すると、その旨を含んだ注意喚起信号をサブ統合ＣＰＵ４２へ送信する。そして、サブ統合ＣＰＵ４２では、注意喚起信号を受信すると、貯留皿８が満タンであるため球抜きレバー５８を操作するよう遊技者に促す球抜き要求メッセージ表示（たとえば「球を抜いて下さい。」等）６９を図柄表示部６に表示するとともに、図柄表示部６の下部で図柄の変動表示領域の外側となる位置に注意喚起メッセージ表示領域６ｂを設けて注意喚起メッセージ表示（たとえば「カードの取り忘れにご注意下さい」等）６６を表示する。
【００３１】
その後、球抜きレバー５８が操作され、満タン検知スイッチ６８によって貯留皿８が満タンでなくなったことを検知すると、払出ＣＰＵ６７はメインＣＰＵ３２へ解除信号を送信し、メインＣＰＵ３２は、その旨を含んだ注意解除信号をサブ統合ＣＰＵ４２へ送信する。そして、サブ統合ＣＰＵ４２では、当該注意解除信号の受信をもって注意喚起メッセージ表示６６及び球抜き要求メッセージ表示６９を図柄表示部６から消去する。なお、満タン検知スイッチ６８は、貯留皿８内や貯留皿８と供給皿７とをつなぐ遊技球通路内等の従来周知の箇所に設置されており、払出制御装置２８と電気的に接続されている。また、注意喚起メッセージ表示６６及び球抜き要求メッセージ表示６９についても、サブ制御装置４０の記憶手段４３に記憶されている。
【００３２】
（本実施形態のパチンコ機による効果）
以上のような構成を有するパチンコ機１によれば、大当たり状態の終了時に、図柄表示部６に注意喚起メッセージ表示６５を所定の表示時間にわたって表示することによって、遊技者にプリペイド媒体の返却忘れについて注意喚起する。したがって、遊技者がプリペイド媒体の返却を忘れたまま席を離れてしまうといった事態を効果的に防止することができる。
また、貯留皿８が満タンである旨を検知すると、球抜きレバー５８が操作されて満タンが解除となるまで、図柄表示部６に注意喚起メッセージ表示６６及び球抜き要求メッセージ表示６９を表示することによって、遊技者にプリペイド媒体の返却忘れについて注意喚起する。したがって、遊技者がプリペイド媒体の返却を忘れたまま席を離れてしまうといった事態を更に効果的に防止することができる。
加えて、図柄表示領域６を注意喚起手段とするとともに、従来同様の満タン検知に係る制御を利用して注意喚起メッセージ表示６６を表示するように構成しているため、注意喚起手段として別途専用の部材を設けたり、新たな信号ラインを設けたりする必要がない。したがって、部材の増加に伴う遊技として使用可能なスペースの低減、制御の複雑化に伴うメインＣＰＵ３２の負荷増大等といった事態も生じない。
【００３３】
（本発明の変更例について）
なお、本発明の遊技機に係る構成は、上記実施形態に何ら限定されるものではなく、遊技機全体の構成は勿論、プリペイド媒体の返却忘れの注意喚起に係る構成についても、本発明の趣旨を逸脱しない範囲で必要に応じて適宜変更可能である。
【００３４】
たとえば、上記実施形態では、満タン検知スイッチ６８により貯留皿８が満タンである旨を検知した際には、球抜きレバー５８が操作されて満タンが解除となるまで注意喚起メッセージ表示６６及び球抜き要求メッセージ表示６９を表示するとしているが、注意喚起メッセージ表示６６については、満タンが解除されずとも、所定の表示時間（たとえば５秒）だけしか表示しないといったように構成してもよい。
また、貯留皿８が満タンである旨を検知した際、図柄表示部６に注意喚起メッセージ表示６６及び球抜き要求メッセージ表示６９を表示するのみならず、スピーカ１４、１４を注意喚起手段として作動させ、所定の球抜き要求メッセージ及び注意喚起メッセージを報音させるように構成しても何ら問題はない。なお、球抜き要求メッセージのみを報音させる、注意喚起メッセージのみを報音させる等したり、スピーカ１４、１４で報音させる際の順序や、スピーカ１４、１４で報音させるメッセージについては図柄表示部６に表示しないようにする等についても適宜設計変更可能であることは言うまでもない。
【００３５】
さらに、上記実施形態では、パチンコ機の前面下部に供給皿７と貯留皿８との２つの貯留部材を設けているが、貯留部材として供給皿７のみしか設けないように構成しても何ら問題はなく、その場合、満タン検知スイッチ６８は供給皿７が満タンであるか否かを検知することになる。
さらにまた、上記実施形態では、図柄表示部６やスピーカ１４以外にも、たとえばランプ部材１５、押しボタン２５等を注意喚起手段として作動させても何ら問題はなく、ランプ部材１５、１５を点滅させる、押しボタン２５を振動させる等して、遊技者にプリペイド媒体の返却忘れについて注意喚起するように構成することも可能である。なお、それらを組み合わせることも当然可能である。
またさらに、図柄表示部６やスピーカ１４、１４等ではなく、別途専用の注意喚起手段（注意喚起メッセージ表示用の表示手段等）を設けることも可能である。加えて、図柄表示部６におけるどこに注意喚起メッセージ表示領域６ａ、６ｂを設けるかについては設計事項であるし、図柄表示部６の特定の領域を常に注意喚起メッセージ表示領域として確保するように構成しても何ら問題はない。
【００３６】
また、上記実施形態では、注意喚起メッセージ表示として常に同じ内容のものを表示するように構成しているが、大当たり状態の終了時に表示する注意喚起メッセージ表示と、球抜き要求メッセージ表示６９と共に表示する注意喚起メッセージ表示との内容を夫々異ならせても何ら問題はない。
さらに、上記実施形態では、遊技に係る制御をメイン制御装置とサブ制御装置との２つの制御装置に分けて制御するように構成しているが、メイン制御装置１つで制御するように構成してもよく、メイン制御装置の記憶手段に図柄変動パターン記憶領域等を設けてもよいし、メイン制御装置１つで制御する際には、注意喚起信号等を作成する必要はない。
加えて、特別図柄と装飾図柄との２つの図柄を用いるのではなく、特別図柄のみを用い、図柄表示部に特別図柄を表示するように構成することも可能である。そして、払出制御装置をメイン制御装置と一体に構成しても何ら問題はない。
【符号の説明】
【００３７】
１・・パチンコ機、６・・図柄表示部（注意喚起手段）、６ａ、６ｂ・・注意喚起メッセージ表示領域、７・・供給皿、８・・貯留皿（貯留部材）、２８・・払出制御装置（制御装置）、３０・・メイン制御装置（制御装置）、４０・・サブ制御装置（制御装置）、４３・・記憶手段、５３・・操作基板、５４・・・中継基板、５５・・残度表示部、５６・・球貸しボタン、５７・・返却ボタン、６５、６６・・注意喚起メッセージ表示、６７・・払出ＣＰＵ、６８・・満タン検知スイッチ（検知手段）、６９・・球抜き要求メッセージ表示、７１・・球貸機。
【図１】
2014061080.tif 000003
【図２】
2014061080.tif 000004
【図３】
2014061080.tif 000005
【図４】
2014061080.tif 000006
【図５】
2014061080.tif 000007
【図６】
2014061080.tif 000008
【図７】
2014061080.tif 000009
【図８】
2014061080.tif 000010
【図９】
2014061080.tif 000011